(57)【特許請求の範囲】
【請求項１】
流体管の内部に配置可能な栓部と、前記栓部の流体管の内部への配置状態で流体管の外部に配置される筒部とが備えられ、前記栓部と前記筒部との間に流体管の先端部を受け入れ可能な円環状の開口部を備える溝部が形成されているとともに、
前記溝部が、それの溝幅が底部側ほど小さくなる形態で構成され、前記溝部の側壁部には、流体管に対する周方向回転操作によって流体管の外周面又は内周面或いはそれらの両面に食い込む形態で流体管の先端部と溝部の底部とを相対近接移動させるネジ山状の案内凸部が形成され、
前記周方向回転操作に伴う流体管の先端部と溝部の底部との相対近接移動によって、溝部の両側壁部間の挟圧力で流体管の先端部を密封する状態で流体管に対して装着可能に構成され、
前記流体管が、液体を輸送する液体輸送管であり、
前記筒部の内周面には、前記流体管の先端部開口と前記溝部の開口部とが連通している流体管の密封前段階において、流体管の外周面と係合する状態で流体管に対する装着を可能にする係合部が備えられているとともに、
前記溝部には、前記係合部による流体管の装着姿勢において、流体管の先端部開口から溝部の開口部、溝部の内部を通じて液体とともに流体管の内部気体を外部に放出するための連通口が備えられている流体管密封部材。
【請求項２】
前記係合部を構成するのに、
前記筒部が、それの流体管側端部が前記栓部の流体側端面よりも流体管側に突出する形態で構成されているとともに、
前記案内凸部が、筒部の内周面における流体管側への突出部分を含む領域に形成されている請求項１記載の流体管密封部材。
【請求項３】
流体管の内部に配置可能な栓部と、前記栓部の流体管の内部への配置状態で流体管の外部に配置される筒部とが備えられ、前記栓部と前記筒部との間に流体管の先端部を受け入れ可能な円環状の開口部を備える溝部が形成されているとともに、
前記溝部が、それの溝幅が底部側ほど小さくなる形態で構成され、前記溝部の側壁部には、流体管に対する周方向回転操作によって流体管の外周面又は内周面或いはそれらの両面に食い込む形態で流体管の先端部と溝部の底部とを相対近接移動させるネジ山状の案内凸部が形成され、
前記周方向回転操作に伴う流体管の先端部と溝部の底部との相対近接移動によって、溝部の両側壁部間の挟圧力で流体管の先端部を密封する状態で流体管に対して装着可能に構成され、
前記栓部の外径を拡大させる栓径拡大部材が、流体管の厚み寸法に応じて選択的に装着可能に構成されている流体管密封部材。
【請求項４】
請求項１又は２記載の流体管密封部材を液圧検査プラグとして流体管に装着する方法であって、下記の（１）〜（３）の工程を備えていることを特徴とする液圧検査プラグの装着方法。
（１）前記流体管の先端部を前記筒部の開口部に差し込むように、液圧検査プラグを流体管に対して周方向に回転操作し、前記溝部の側壁部に形成されている前記ネジ山状の案内凸部により、流体管の先端部を前記溝部の開口部側へ近接移動させ、この流体管の先端部が前記溝部の開口部に至る前に液圧検査プラグの回転操作を止める。
（２）次に、前記流体管への給液を開始し、前記流体管の先端部開口から溝部の開口部、溝部の内部、溝部の連通孔を通じて液体とともに流体管の内部気体を外部に放出する。
（３）その後、前記流体管への給液を行いつつ液圧検査プラグを再び流体管に対して周方向に回転操作し、流体管の先端部と溝部の底部とを相対近接移動させ、前記溝部の両側壁部間の挟圧力で流体管の先端部が密封されたことを、前記溝部の連通孔からの液の流出が止まったことで確認し、液圧検査プラグの回転操作を終了する。
【発明の詳細な説明】
【技術分野】
【０００１】
本発明は、給排水管や給湯管、ガス管、薬液輸送管、排液輸送管などの流体管の先端部を密封する状態で流体管の先端部に装着される流体管密封部材に関する。
【背景技術】
【０００２】
従来、この種の流体管密封部材としては、エストラマー系素材からなる専用の止水部材としての合成ゴム製のゴムパッキンと、これを流体管の内部において管軸心方向から挟圧操作自在な金属製の挟圧機構とから構成されたものが知られている。つまり、当該流体管密封部材は、挟圧機構によって流体管の内部でゴムパッキンを管軸心方向から挟圧操作することで、ゴムパッキンの外周面と流体管の内周面とが圧着する状態までゴムパッキンを膨張拡径させ、これにより、流体管の先端部を密封する状態で流体管の先端部に装着される。
【発明の開示】
【発明が解決しようとする課題】
【０００３】
ところが、上記の如き従来の流体管密封部材では、ゴムパッキンを挟圧機構で機械的に挟圧する構造を採る関係上、性状が全く異なる複数種の素材（エラストマー系の弾性素材と金属素材等）を組み合わせる必要があるため、どうしても部品点数の多い複雑な構造になって、生産コストが高くつく問題があった。
【０００４】
本発明は、上述の実情に鑑みて為されたものであって、その主たる課題は、シンプルな構造でもって流体管の先端部を効率的に密封することのできる流体管密封部材及びそれを用いた液圧検査プラグの装着方法を提供する点にある。
【課題を解決するための手段】
【０００５】
流体管密封部材は、
流体管の内部に配置可能な栓部と、前記栓部の流体管の内部への配置状態で流体管の外部に配置される筒部とが備えられ、前記栓部と前記筒部との間に流体管の先端部を受け入れ可能な円環状の開口部を備える溝部が形成されているとともに、
前記溝部が、それの溝幅が底部側ほど小さくなる形態で構成され、前記溝部の側壁部には、流体管に対する周方向回転操作によって流体管の外周面又は内周面或いはそれらの両面に食い込む形態で流体管の先端部と溝部の底部とを相対近接移動させるネジ山状の案内凸部が形成され、
前記周方向回転操作に伴う流体管の先端部と溝部の底部との相対近接移動によって、溝部の両側壁部間の挟圧力で流体管の先端部を密封する状態で流体管に対して装着可能に構成されている。
【０００６】
上記構成によれば、溝部の両側壁部間の挟圧力で流体管の先端部を密封するから、エストラマー系素材からなる専用の止水部材を不存としながらも、流体管の先端部に対する密封性能を効果的に得ることができ、これにより、構造の簡素化を効果的に達成することができる。
【０００７】
前記溝部の溝幅を底部側ほど小さく構成するのに、
前記筒部の内周面が、前記溝部の底部側ほど縮径する形態で構成されている。
【０００８】
上記構成によれば、前記周方向回転操作に伴う流体管の先端部と溝部の底部との相対近接移動によって流体管の開口寸法を縮径する方向に流体管の先端部を変形案内することができるから、その分、密封対象面積を減少させ易くることができる。従って、溝部の溝幅を底部側ほど小さくための構造を利用して、流体管の先端部に対する密封性能を高め易くすることができる。
【０００９】
前記栓部の外径を拡大させる栓径拡大部材が、流体管の厚み寸法に応じて選択的に装着可能に構成されている。
【００１０】
上記構成によれば、流体管の厚み寸法が設定寸法より小さい場合でも、栓径拡大部材の選択的な装着によって、栓径拡大部材により外径が拡大した栓部の外周面と筒部の内周面との間での挟圧で流体管の先端部を密封することができ、この点で、流体管の種別に対する汎用性を効果的に高めることができる。
【００１１】
前記筒部には、前記流体管の溝部への挿入深さを目視確認するための確認窓が備えられている。
【００１２】
上記構成によれば、前記確認窓を通じた流体管の溝部への挿入深さの目視確認によって、流体管の先端部の密封措置が完了しているか否かを判断することができる。従って、流体管の先端部の密封措置が不十分になるなどの施工不良を効果的に抑止することができる。
【００１３】
前記流体管が、液体を輸送する液体輸送管であることに対し、
前記筒部の内周面には、前記流体管の先端部が密封される前段階で流体管の外周面と係合する状態で流体管に対する装着を可能にする係合部が備えられているとともに、
前記溝部には、前記係合部による流体管の装着姿勢において外部に連通する連通口が備えられている。
【００１４】
つまり、例えば、流体管の先端部を密封した状態で流体管に所定の液体圧をかけることによって所定圧力下での流体管の状態（例えば、漏れの発生など）を検査することが行われている。この場合、流体管内の液体圧の設定精度を確保するのに、流体管内に存在する液体以外のものを外部に放出する必要がある。
【００１５】
それに対し、上記構成によれば、前記流体管の先端部が密封される前段階において、前記流体管を前記係合部に装着した状態で前記連通口を通じて流体管内に存在する流体以外のもの（例えば、気体やゴミなど）を外部に放出することが可能になる。従って、所定圧力下での流体管の状態を検査する場合における流体管内の液体圧の設定精度を簡単且つ容易に確保することができる。
【００１６】
前記係合部を構成するのに、
前記筒部が、それの流体管側端部が前記栓部の流体側端面よりも流体管側に突出する形態で構成されているとともに、
前記案内凸部が、筒部の内周面における流体管側への突出部分を含む領域に形成されている。
【００１７】
上記構成によれば、前記筒部が、それの流体管側端部が前記栓部の流体側端面よりも流体管側に突出する形態で構成されているから、流体管の先端部と溝部とを相対近接移動させる際に、筒部の内周面の突出部分に接当させる形態で流体管の先端部を溝部の開口部まで案内することができる。
【００１８】
しかも、前記案内凸部が、前記突出部分を含む領域に形成されているから、流体管の先端部を筒部の突出部分に係合させた状態からの周方向回転操作によって、流体管の先端部を溝部の開口部から溝部の内部に進入させ、そして、溝部の底側に移動させていくことができる。
【００１９】
これらのことから、流体管内の液体圧の設定精度を簡単且つ容易に確保する効果を簡単且つ容易に確保しながらも、流体管の先端部への装着操作性も高く確保することができる。
そして、本発明の第１の特徴構成は、流体管密封部材に係るものであって、流体管の内部に配置可能な栓部と、前記栓部の流体管の内部への配置状態で流体管の外部に配置される筒部とが備えられ、前記栓部と前記筒部との間に流体管の先端部を受け入れ可能な円環状の開口部を備える溝部が形成されているとともに、
前記溝部が、それの溝幅が底部側ほど小さくなる形態で構成され、前記溝部の側壁部には、流体管に対する周方向回転操作によって流体管の外周面又は内周面或いはそれらの両面に食い込む形態で流体管の先端部と溝部の底部とを相対近接移動させるネジ山状の案内凸部が形成され、
前記周方向回転操作に伴う流体管の先端部と溝部の底部との相対近接移動によって、溝部の両側壁部間の挟圧力で流体管の先端部を密封する状態で流体管に対して装着可能に構成され、
前記流体管が、液体を輸送する液体輸送管であり、
前記筒部の内周面には、前記流体管の先端部開口と前記溝部の開口部とが連通している流体管の密封前段階において、流体管の外周面と係合する状態で流体管に対する装着を可能にする係合部が備えられているとともに、
前記溝部には、前記係合部による流体管の装着姿勢において、流体管の先端部開口から溝部の開口部、溝部の内部を通じて液体とともに流体管の内部気体を外部に放出するための連通口が備えられている点にある。
本発明の第２の特徴構成は、前記係合部を構成するのに、
前記筒部が、それの流体管側端部が前記栓部の流体側端面よりも流体管側に突出する形態で構成されているとともに、
前記案内凸部が、筒部の内周面における流体管側への突出部分を含む領域に形成されている点にある。
本発明の第３の特徴構成は、流体管密封部材に係るものであって、流体管の内部に配置可能な栓部と、前記栓部の流体管の内部への配置状態で流体管の外部に配置される筒部とが備えられ、前記栓部と前記筒部との間に流体管の先端部を受け入れ可能な円環状の開口部を備える溝部が形成されているとともに、
前記溝部が、それの溝幅が底部側ほど小さくなる形態で構成され、前記溝部の側壁部には、流体管に対する周方向回転操作によって流体管の外周面又は内周面或いはそれらの両面に食い込む形態で流体管の先端部と溝部の底部とを相対近接移動させるネジ山状の案内凸部が形成され、
前記周方向回転操作に伴う流体管の先端部と溝部の底部との相対近接移動によって、溝部の両側壁部間の挟圧力で流体管の先端部を密封する状態で流体管に対して装着可能に構成され、
前記栓部の外径を拡大させる栓径拡大部材が、流体管の厚み寸法に応じて選択的に装着可能に構成されている点にある。
本発明の第４の特徴構成は、前記第１又は第２の特徴構成を備えた流体管密封部材を液圧検査プラグとして流体管に装着する方法であって、下記の（１）〜（３）の工程を備えていることを特徴とする液圧検査プラグの装着方法。
（１）前記流体管の先端部を前記筒部の開口部に差し込むように、液圧検査プラグを流体管に対して周方向に回転操作し、前記溝部の側壁部に形成されている前記ネジ山状の案内凸部により、流体管の先端部を前記溝部の開口部側へ近接移動させ、この流体管の先端部が前記溝部の開口部に至る前に液圧検査プラグの回転操作を止める。
（２）次に、前記流体管への給液を開始し、前記流体管の先端部開口から溝部の開口部、溝部の内部、溝部の連通孔を通じて液体とともに流体管の内部気体を外部に放出する。
（３）その後、前記流体管への給液を行いつつ液圧検査プラグを再び流体管に対して周方向に回転操作し、流体管の先端部と溝部の底部とを相対近接移動させ、前記溝部の両側壁部間の挟圧力で流体管の先端部が密封されたことを、前記溝部の連通孔からの液の流出が止まったことで確認し、液圧検査プラグの回転操作を終了する。
【発明を実施するための最良の形態】
【００２０】
［第１実施形態］
図１〜図４は、例えば、図５に示すように、水圧検査（詳しくは、所定水圧下における所定時間の漏水確認検査）等の目的で合成樹脂製の給水管Ｐ（流体管の一例、液体輸送管の一例）の先端部ｐ２を密封するのに使用される水圧検査プラグ１（流体管密封部材の一例）を示す。
【００２１】
前記水圧検査プラグ１には、給水管Ｐの内部に配置可能な栓部２と、この栓部２を給水管Ｐの内部に配置した状態で給水管Ｐの外部に配置される筒部３とが備えられている。当該栓部２と筒部３との間には、給水管Ｐの先端部を受け入れ可能な円環状の開口部４を備える溝部５が形成されている。
【００２２】
図１、図３、図４に示すように、前記栓部２は、下面部２ａ（給水管側面）が閉塞され且つ上方側に開放する略コップ状の円筒体形状に構成されている。また、前記筒部３は、内周面３ａが円筒状で且つ外周面３ｂが六角筒状の変形角筒形状に構成されているとともに、筒部３の下端部が栓部２の下端面（つまり、栓部２の下端面ラインｘ２）よりも下方に突出する高さ寸法で構成されている。そして、栓部２の上端部と筒部３の上端部とが、略リング状の連結片部６を介して連結されている。
【００２３】
つまり、前記溝部５の側壁部５ａ、５ｂが、栓部２の外周面２ｂ及び筒部３の内周面３ａとから構成されているとともに、溝部５の底部５ｄが、連結片部６の下面部から構成されている。
【００２４】
前記溝部５は、それの溝幅Ｗが底部５ｄの側ほど小さくなる形態で構成されている。具体的には、図４に示すように、前記栓部２の外周面２ｂが、上方側ほど管軸心Ｙとは反対側（つまり、外側）に変位する拡径形態（詳しくは、テーパー面形状）で構成されているとともに、前記筒部３の内周面３ａが、上方側ほど管軸心Ｙ側（つまり、内側）に変位する縮径形態（詳しくは、テーパー面形状）で構成されている。
【００２５】
そして、前記筒部３の内周面３ａには、給水管Ｐに対する周方向回転操作によって給水管Ｐの外周面ｐ１に食い込む形態で給水管Ｐの先端部ｐ２と溝部５の底部５ｄとを相対近接移動させるネジ山状の案内凸部７が形成されている。当該案内凸部７は、雌ネジの如き機能を発揮し得るように、鋸刃型状又は略鋸刃型状の断面形状で筒部３の内周面３ａの上下両端部に亘って螺旋状に延設されている。
【００２６】
すなわち、当該水圧検査プラグ１は、給水管Ｐに対する周方向回転操作に伴う給水管Ｐの先端部ｐ２と溝部５の底部５ｄとの相対近接移動によって、溝部５ｄの両側壁面５ａ、５ｂ間の挟圧力で給水管Ｐの先端部ｐ２を密封する状態で給水管Ｐに対して装着可能に構成されている。
【００２７】
図５（ｂ）に示すように、前記溝部５には、給水管Ｐの先端部ｐ２が密封される前段階で給水管Ｐの外周面ｐ１と係合する状態で給水管Ｐに対する装着を可能にする係合部８が備えられている。当該係合部８は、筒部３における栓部２の下面部２ａから下方に突出する突出部分３ｄと、この突出部分３ｄの内周面に位置する前記案内凸部７とから構成されている。
【００２８】
前記溝部５には、前記係合部８による給水管Ｐの装着姿勢において外部と連通する連通口９が備えられている。当該連通口９は、給水管Ｐの周方向に分散する状態で連結片部６に開口形成された複数の長穴から構成されている。また、前記水圧検査プラグ１には、給水管Ｐの先端部を溝部５の開口部４に案内する案内部が備えられている。当該案内部は、筒部３の前記突出部分３ｄから構成されている。
【００２９】
なお、前記筒部３の外周面３ｂの下方部には、操作者が把持操作をする場合に使用される複数の把持操作片３ｅが突出形成されている。また、本例では、水圧検査プラグ１は、合成樹脂素材から一体成型されている。
【００３０】
次に、上述の如く構成された水圧検査プラグ１の使用方法について説明する。
図５（ａ）に示すように、給水管Ｐの先端部を前記筒部３の開口部に差し込むように、給水管Ｐに対して水圧検査プラグ１を近接操作したのち、水圧検査プラグ１を給水管Ｐに対し周方向に回転操作する。この回転操作に伴い、給水管Ｐの先端部は溝部５の開口部４の側へ移動していく。そして、図５（ｂ）に示すように、給水管Ｐの先端部が溝部５の開口部４に至る前に回転操作を一旦止める。
【００３１】
この時、水圧検査プラグ１は、前記係合部８に給水管Ｐの先端部ｐ２を係合させた状態で給水管Ｐに装着保持されている。なお、給水管Ｐの基端部は、水栓を介して給水源等に接続しておく。
【００３２】
ちなみに、前記回転操作は、筒部の外周面３ｂに操作具（レンチ等の操作具を係合させた状態で回転させたり、筒部３の外周面３ｂに形成した把持操作片３ｅを把持した状態で回転させたりして行うことができる。
【００３３】
次に、図５（ｂ）に示すように、給水管Ｐへの給水を開始し、溝部５の開口部４、溝部５の内部、溝部５の連通口９を通じて当該水とともに給水管Ｐの内部気体（気泡、場合によってはゴミ等も）を外部に放出する。
【００３４】
前記給水管Ｐの内部気体を外部に放出したのち、給水管Ｐへの給水を行いつつ水圧検査プラグ１を再び回転操作して給水管Ｐの先端部ｐ２と溝部５の底部５ｄとを相対近接移動させていく。そして、図５（ｃ）に示すように、溝部５の両側壁部５ａ、５ｂの挟圧力で連通口９からの水の流出が止まったこと（すなわち、流体管Ｐの先端部ｐ２が密封されたこと）を確認し、水圧検査プラグ１の回転操作を終了する。これにより、水圧検査プラグ１は、給水管Ｐの先端部ｐ２を密封する状態で給水管Ｐの先端部ｐ２に装着される。
【００３５】
つまり、当該水圧検査プラグ１は、給水管Ｐの先端部ｐ２が密封される前段階において、給水管Ｐを係合部８に装着した状態で連通口９を通じて給水管Ｐの内部気体を外部に放出することができるとともに、この状態からの連続的な周方向回転操作によって、給水管Ｐの先端部ｐ２と溝部５の底部５ｄとを相対近接移動させることができる。従って、給水管Ｐ内の水圧の設定精度を簡単且つ容易に確保することができながらも、給水管Ｐの先端部ｐ２に対する装着操作性も高く確保することができる。
【００３６】
［第２実施形態］
図６、図７に示すように、この第２実施形態の水圧検査プラグ１には、栓部２と筒部３との間に止水性と弾性とを備える止水性向上手段１０が備えられている。
【００３７】
当該止水性向上手段１０は、外周面が栓部２の外周面２ｂよりも外側に突出する状態で配設された合成ゴム製のＯリング１０ａから構成されている。
【００３８】
具体的には、栓部２の下端部には、円環状の装着段部２ｄが形成されているとともに、当該装着段部２ｄに弾性的拡径状態で前記Ｏリング１０ａが外装されている。つまり、装着段部２ｄの円筒状の周壁面２ｅをＯリング１０ａの内周面で押圧する状態でＯリング１０ａが装着されている。
【００３９】
また、図７に示すように、給水管Ｐの先端部ｐ２の内周面には、先端側ほど徐々に拡径するテーパー面部ｐ３が形成されている。そのため、給水管Ｐの先端部ｐ２が溝部５の内部に進入する際に、給水管Ｐの先端部ｐ２との摩擦力によってＯリング１０ａが溝部５の内部に側に巻き込まれるのを効果的に抑止する。
【００４０】
なお、その他の構成は、第１実施形態で説明した構成と同一であるから、同一の構成箇所には、第１実施形態と同一の番号を付記してそれの説明は省略する。
【００４１】
［第３実施形態］
図８〜図１０に示すように、この第３実施形態の水圧検査プラグ１は、前記栓部２の外径を拡大させる栓径拡大部材１１が給水管Ｐの内径に応じて選択的に装着可能に構成されている。
【００４２】
前記栓部２の下端側には、前記栓径拡大部材１１を嵌合状態で装着するための装着段部２ｅ（装着部の一例）が形成されている。前記栓径拡大部材１１は、前記装着段部２ｅに対して下方側から外嵌状態で装着可能な上方開口のコップ状のキャップ体から構成されている。
【００４３】
当該栓径拡大部材１１の外周面１１ａは、下方側ほど縮径する縮径形態（具体的には、テーパー面形状）に構成されている。当該外周面１１ａは、栓部２に装着した際に溝部５の側壁部５ｂを構成する。なお、栓径拡大部材１１は、下端部の外周部が面取りされているとともに、栓径拡大部材の上端部には、外側に突出する環状の鍔部１１ｂが形成されている。
【００４４】
そして、図９に示すように、給水管Ｐの厚み寸法が比較的大きい場合には、栓径拡大部材１１を装着していない状態で水圧検査プラグ１を給水管Ｐに装着することで、給水管Ｐの先端部ｐ２を密封することができる。一方、図１０に示すように、給水管Ｐの厚み寸法が小さい場合には、栓径拡大部材１１を栓部２の装着段部２ｅに装着した状態で水圧検査プラグ１を給水管Ｐに装着することで、給水管Ｐの先端部を密封することができる。
【００４５】
なお、その他の構成は、第１実施形態で説明した構成と同一であるから、同一の構成箇所には、第１実施形態と同一の番号を付記してそれの説明は省略する。
【００４６】
［その他の実施形態］
（１）前述の各実施形態の改良として、例えば、図１１に示すように、流体管Ｐの溝部５への挿入深さを目視確認するための１個又は複数個の確認窓１２が前記筒部３に備えられていてもよい。
【００４７】
この場合、前記確認窓１２を通じた流体管Ｐの溝部への挿入深さの目視確認によって、流体管Ｐの先端部の密封措置が完了しているか否かを判断することができる。そのため、流体管Ｐの先端部ｐ２の密封措置が不十分になるなどの施工不良を効果的に抑止することができる。
【００４８】
なお、確認窓１２の周縁部などには、挿入深さの目標ライン等を示す目印を付しておくのが好ましい。
【００４９】
（２）筒部３の形状等の具体的構成は、前述の各実施形態で示した如き構成に限らず、種々の構成変更が可能である。例えば、図１２に示すように、筒部３の外周面３ｂを略六角筒状に構成するとともに、当該六角筒状の角部を一方向に沿って突出させて把持操作片３ｅを構成した形状、或いは、図示しないが、把持操作片３ｅを不存とした六角筒状や円筒状などであってもよい。
【００５０】
（３）栓部２の具体的構成も、前述の各実施形態で示した如き構成に限らず、種々の構成変更が可能であり、例えば、前述の各実施形態では、内部空間が上方側に開口する略コップ状に構成されている場合を例に示したが、内部空間を有さない中実な構成などであってもよい。
【００５１】
（４）前述の各実施形態では、水圧検査プラグ１が一体形成されている場合を例に示したが、水圧検査プラグ１が複数部材（例えば、栓部２を構成する栓部側部材と筒部３を構成する筒部側部材など）から構成されていてもよい。
【００５２】
前述の如く、水圧検査プラグ１を栓部側部材と筒部側部材とから構成する場合において、例えば、栓部側部材と筒部側部材とが周方向に相対回動不能な状態で係合する構造（すなわち、前記周方向回転操作によって栓部側部材と筒部側部材とが一体的に回転する構造）、或いは、筒部側部材と栓部側部材とが相対回動可能に係合する構造（前記周方向回転操作によって栓部側部材又は筒部側部材が独立して回転する構造）のいずれであってもよい。なお、後述の構造を採る場合には、周方向回転操作によって回転する側の部材に前記案内凸部を設ければよい。
【００５３】
（５）流体管は、前述の各実施形態で示した給水管Ｐに限らず、排水管、給湯管、ガス管或いは、薬液や排液を輸送する管などの各種の管であってもよい。
【００５４】
（６）前述の各実施形態では、流体管密封部材として、水圧の検査に使用される水圧検査プラグを例に示したが、流体管の先端部を密封する状態で流体管の先端部に装着されるものであれば、如何なる目的で使用されるものであってもよい。
【００５５】
（７）前述の各実施形態では、流体間密封部材１が合成樹脂製である場合を例に挙げて説明したが、金属製やガラス製などであってもよい。
【００５６】
（８）前述の各実施形態では、案内凸部が筒部３の内周面３ａに備えられている場合を例に示したが、栓部２の外周面２ｂに備えられていてもよく、或いは、筒部３の内周面３ａと栓部２の外周面２ｂの両方に備えられていてもよい。
【００５７】
（９）案内凸部７の具体的構成は、前述の各実施形態で示した如き構成に限らず種々の構成変更が可能である。例えば、前述の各実施形態では、鋸刃状の断面形状に構成されている場合を例に示したが、単なる山状の断面形状などであってもよい。また、前述の各実施形態では、螺旋状に連続形成されている場合を例に示したが、分散形成されていてもよい。
【００５８】
（１０）前述の各実施形態では、筒部３の内周面３ａが、溝部５の底部側ほど縮径する形態で構成されている場合を例に示したが、栓部２の外周面２ａが溝部５の底部側ほど拡径する形態で構成されていれば、前記の如き縮径形態にしなくともよい。
【００５９】
（１１）前述の各実施形態では、栓部２の外周面２ａが溝部５の底部側ほど拡径する形態で構成されている場合を例に示したが、筒部３の内周面３ａが、溝部５の底部側ほど縮径する形態で構成されていれば、前記の如き拡径形態にしなくともよい。
【００６０】
（１２）前述の各実施形態では、栓部２の外周面２ａを拡径させる具体的構成、或いは、筒部３の内周面３ａを縮径させる具体的構成は、前述の各実施形態で示したテーパー面形状に限らず、段々形状などであってもよい。
【００６１】
（１３）係合部８の構造等の具体的構成や連通口９の位置や形状等の具体的構成も、前述の各実施形態で示した如き構成に限らず種々の構成変更が可能である。
【図面の簡単な説明】
【００６２】
【図１】第１実施形態における流体管閉塞部材を示す平面図（上面図）
【図２】第１実施形態における流体管閉塞部材を示す側面図
【図３】第１実施形態における流体管閉塞部材を示す底面図（下面図）
【図４】図１のＩＶ−ＩＶ線断面図
【図５】第１実施形態における流体管閉塞部材の使用方法を示す断面図        （ａ）初期工程        （ｂ）中期工程        （ｃ）終期工程
【図６】第２実施形態における流体管閉塞部材を示す断面図
【図７】第２実施形態における流体管閉塞部材の使用方法を示す断面図        （ａ）初期工程        （ｂ）中期工程        （ｃ）終期工程
【図８】第３実施形態における流体管閉塞部材を示す断面図
【図９】第３実施形態における流体管閉塞部材の使用状態を示す断面図
【図１０】第３実施形態における流体管閉塞部材の使用状態を示す断面図
【図１１】その他の実施形態における流体管閉塞部材を示す側面図
【図１２】その他の実施形態における流体管閉塞部材を示す平面図
【符号の説明】
【００６３】
Ｐ        流体管
ｐ２      先端部
１        流体管密封部材（水圧検査プラグ）
２        栓部
２ｂ      外周面
３        筒部
３ａ      内周面
３ｄ      突出部分
４        開口部
５        溝部
５ｄ      底部
５ａ      側壁部
５ｂ      側壁部
５ｂ      案内凸部
Ｗ        溝幅
８        係合部
９        連通口
１１      栓径拡大部材
１２      確認窓
【図１】
0005249598.tif 000002
【図２】
0005249598.tif 000003
【図３】
0005249598.tif 000004
【図４】
0005249598.tif 000005
【図５】
0005249598.tif 000006
【図６】
0005249598.tif 000007
【図７】
0005249598.tif 000008
【図８】
0005249598.tif 000009
【図９】
0005249598.tif 000010
【図１０】
0005249598.tif 000011
【図１１】
0005249598.tif 000012
【図１２】
0005249598.tif 000013